(57)【要約】【課題】本発明は屋根形天幕に関し、夜営をしたり、物品の収納・保管をするのに用い、簡単な取り扱い操作により設営や分解が迅速かつ確実に行え、比較的多人数や大容量の物品を収容可能であり、日照や風雨を防ぐものである。【解決手段】２本の支柱３,３により天幕本体1の屋根部４の頂上部を支持する屋根形天幕において、天幕本体は、切妻屋根形また寄せ棟屋根形の屋根部４と、下方の周囲を囲む側壁部６Ａ,６Ｂ；６Ｃ,６Ｄとにより形成され、引綱５は、屋根部の頂上における棟７の外端部に一端５Ａ１が取付けられ他端５Ａ２は地面２に打ち込んだ杭８に取付けられて棟間に張力を与える複数本の棟張綱５Ａと、屋根部の傾斜最低部４ａと側壁部６Ａ,６Ｂ；６Ｃ,６Ｄの上端部とが交わる軒先部Ｎに少なくとも一端５Ｂ１が取付けられ、他端５Ｂ２は杭８′に取付けられて左右の側壁部に外方向に張力を与える軒引綱５Ｂとで構成される。【選択図】図１
2008095358.tif 000002
【特許請求の範囲】
【請求項１】
間隔をあけて地面に立設した２本の支柱により天幕本体の屋根部の頂上部を支持するとともに、前記天幕本体を引綱を介して張設する屋根形天幕において、
前記天幕本体は、切妻屋根形、または寄せ棟屋根形に形成される前記屋根部と、および該屋根部の下方の周囲を囲む側壁部とにより形成され、
前記引綱は、前記支柱にて支持された前記屋根部の頂上における棟の外端部に一端が取付けられて他端は杭が地面に打ち込まれることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁部に外方向に張力を与える軒引綱とで構成されることを特徴とした屋根形天幕。
【請求項２】
前記支柱が、上部支柱部と、該上部支柱部の下端に接続可能に、かつ分離可能に接続手段を介して接続される下部支柱部とから構成されることを特徴とした請求項１の屋根形天幕。
【請求項３】
前記支柱が、屋根部の棟の外端部に設けた金環内に突出されるピン体を上端に設けたことを特徴とする請求項１または２記載の屋根形天幕。
【請求項４】
前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなる請求項１−３に記載の屋根形天幕。
【発明の詳細な説明】
【技術分野】
【０００１】
本発明は屋根形天幕に関し、夜営をしたり、または、物品を収納・保管をするのに用い、簡単な取り扱い操作により設営や分解が迅速かつ確実に行え、比較的多人数と、また、大容積に物品を収容可能であり、日照や風雨を防ごうとするものである。
【背景技術】
【０００２】
従来、設営が容易なタープテントには、耐候性に優れた生地よりなる多角形、例えば平面略四角形のテント本体の対角線上の２つの角部を地面に立設した２本のポールにより支持すると共に、テント本体の残りの２つの角部をロープを介してペグ（杭体）により地面に固定し、全体を張設するようにしたことにより、設営を容易にするものがあった。そして、日照や風雨を防ごうとするものであった（例えば特許文献１参照。）。
【特許文献１】実開平５−８９７３３号公報
【発明の開示】
【発明が解決しようとする課題】
【０００３】
しかしながら、特許文献１記載の上記従来のタープテントは、多角形、例えば平面略四角形のテント本体の対角線上の２つの角部を地面に立設した２本のポールにより支持すると共に、テント本体の残りの２つの角部をロープを介してペグ（杭体）により地面に固定し、全体を張設するものであるので、２本のポールを用いて平面略四角形のテント本体を張設すると、この２本のポールを用いて張設されるテント本体の対角線上の２つの角部と、ロープを介してペグ（杭体）により地面に固定した残りの２つの角部との間に位置するテント本体の下縁部は、地面との間に大きな間隙が形成されているため、テント本体の外部からの通風性は良いが、強風に対して強度に欠け、テントが風に煽られて倒壊する等、強度が弱かった。また、日照を防ぐのに小面積で不充分であり、また、雨や雪が吹き込み易く、しかも、冬季等においてはまともに寒風や雪がテント内に入り込み易く、暖に欠け、さらには、テント内への収容人数も小人数であり、簡易で小規模のものに限られていた。
【０００４】
本発明は上記従来のテントの欠点を解決するとともに、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人であり、しかも、大容量に物品を収容でき、さらには、構造が簡単で部品数が少なく、組立操作および分解操作が容易かつ迅速に行えるとともに、運搬および保管が容易になる屋根形天幕を提供することを目的とする。
【課題を解決するための手段】
【０００５】
本発明の請求項１に記載の発明は、間隔をあけて地面に立設した２本の支柱により天幕本体の屋根部の頂上部を支持するとともに、前記天幕本体を引綱を介して張設する屋根形天幕において、
前記天幕本体は、切妻屋根形、または寄せ棟屋根形に形成される前記屋根部と、および該屋根部の下方の周囲を囲む側壁部とにより形成され、
前記引綱は、前記支柱にて支持された前記屋根部の頂上における棟の外端部に一端が取付けられて他端は杭が地面に打ち込まれることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁部に外方向に張力を与える軒引綱とで構成されることを特徴とした。
【０００６】
また、本発明の請求項２に記載の発明は、請求項１において、前記支柱が、上部支柱部と、該上部支柱部の下端に接続可能に、かつ分離可能に接続手段を介して接続される下部支柱部とから構成されることを特徴とした。
【０００７】
また、本発明の請求項３に記載の発明は、請求項１または２において、前記支柱が、屋根部の棟の外端部に設けた金環内に突出されるピン体を上端に設けたことを特徴とする。
【０００８】
また、本発明の請求項４に記載の発明は、請求項１−３において、前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなる。
【発明の効果】
【０００９】
本発明の請求項１に記載の発明によれば、間隔をあけて地面に立設した２本の支柱により天幕本体の屋根部の頂上部を支持するとともに、前記天幕本体を引綱を介して張設する屋根形天幕において、前記天幕本体は、切妻屋根形、または寄せ棟屋根形に形成される前記屋根部と、および該屋根部の下方の周囲を囲む側壁部とにより形成され、前記引綱は、前記支柱にて支持された前記屋根部の頂上における棟の外端部に一端が取付けられて他端は杭が地面に打ち込まれることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁部に外方向に張力を与える軒引綱とで構成されることを特徴とするので、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人を収容できたり、大容量の物品を収容・保管でき、さらには、構造が簡単で部品数が少なく、組立操作および分解操作が容易かつ迅速に行えるとともに、運搬および保管が容易になる。
【００１０】
また、本発明の請求項２に記載の発明によれば、請求項１において、前記支柱が、上部支柱部と、該上部支柱部の下端に接続可能に、かつ分離可能に接続手段を介して接続される下部支柱部とから構成されることを特徴とするので、使用時での支柱の組立、および不使用時での分解が容易であり、運搬、保管も容易になる。
【００１１】
また、本発明の請求項３に記載の発明によれば、請求項１または２において、前記支柱が、屋根部の棟の外端部に設けた金環内に突出されるピン体を上端に設けたことを特徴とするので、使用時での天幕本体に対する支柱の組立、および不使用時での分解が容易になる。
【００１２】
また、本発明の請求項４によれば、請求項１において、前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなるので、使用時での支柱の組立、および不使用時での分解が容易かつ確実になる。
【発明を実施するための最良の形態】
【００１３】
以下図面に従い、本発明を実施するための最良の形態につき詳細を説明する。
【００１４】
図１は本発明の屋根形天幕の実施形態１を示し、設営した状態の斜視図、図２は本実施形態１の屋根形天幕を設営するのに使用する支柱を示す側面図、図３は同じく本実施形態１の屋根形天幕を設営するのに使用する支柱を構成する上部支柱を示す拡大一部断面図、図４は同じく本実施形態１の屋根形天幕を設営するのに使用する支柱を構成する下部支柱を示す拡大一部断面図、図５は本実施形態１の屋根形天幕を設営するのに際し、天幕、および引綱を展開し、杭を打ち込んだ状態の斜視図、図６は同じく屋根部を支持するための２本の支柱を配置した状態の斜視図、図７は同じく屋根部の下面に支柱を差し入れる状態の斜視図である。
【００１５】
本実施形態１は、間隔Ｌをあけて地面２に立設した２本の支柱３,３により天幕本体1の屋根部４の頂上部を支持するとともに、前記天幕本体１を引綱５を介して張設する屋根形天幕において、前記天幕本体１は、切妻屋根形に形成される前記屋根部４と、および該屋根部４の下方の周囲を囲む側壁部６Ａ,６Ｂ；６Ｃ,６Ｄとにより形成され、前記引綱５は、前記支柱３,３にて支持された前記屋根部４の頂上における棟７の外端部に一端５Ａ１が取付けられて他端５Ａ２は杭８が地面２に打ち込まれることにより前記屋根部４の前記棟７に外方向に張力を与える複数本の棟張綱５Ａと、前記屋根部４の傾斜最低部４ａと前記側壁部６Ａ,６Ｂ；６Ｃ,６Ｄの上端部とが交わる軒先部Ｎに少なくとも一端５Ｂ１が取付けられ、他端５Ｂ２は杭８′が地面２に打ち込まれることにより長手方向Ｉに所望間隔Ｌ１に対設され、左右の前記側壁部６Ａ,６Ｂに外方向に張力を与える軒引綱５Ｂとで構成されることを特徴とする。
【００１６】
前記支柱３が、上部支柱部３Ａと、該上部支柱部３Ａの下端に接続可能に、かつ分離可能に接続手段１０を介して接続される下部支柱部３Ｂとから構成される。このように、支柱３を上部支柱部３Ａと、下部支柱部３Ｂとから構成したのは、使用時での長い長さの支柱３の組立、および不使用時での分解が容易であり、運搬、保管も容易にするためである。
【００１７】
屋根形天幕の左右に配置される前記側壁部６Ａ,６Ｂは、設営時には長手方向Ｉに対向され、正面略矩形に形成される。また、屋根形天幕の前後に配置される前記側壁部６Ｃ,６Ｄは、正面五角形に形成され、左右両端を前記側壁部６Ａ,６Ｂに連設されている。このうち、前記側壁部６Ａ,６Ｂの何れか一方には縦方向にスリットＳを入れる等することによって入口部Ｄが形成される。
【００１８】
１１は前記支柱３の上端部、すなわち、上部支柱部３Ａの上端部に設けられたピン体であり、このピン体１１は屋根部４の棟７の外端部に設けた金環１２,１２内に突出されることにより、使用時での天幕本体１に対する支柱３の組立、および不使用時での分解が容易になる。
【００１９】
前記接続手段１０が、前記上部支柱部３Ａの下端内に内周斜面部１３ａを有する先細りに設けられた雌状孔１３と、該雌状孔１３内に挿脱可能に挿入され前記下部支柱部３Ｂの上端に外周斜面部１４ａを有する先細りに設けられた雄状挿入部１４と、前記雌状孔１３内に挿脱可能に挿入される前記雄状挿入部１４に外部から先端部１５ａが当接される止めねじ１５と、からなるので、使用時での支柱３の組立、および不使用時での支柱３の分解が容易かつ確実になる。
【００２０】
本実施形態１の屋根形天幕は以上の構成からなり、野外での設営を行うのには、先ず、野外の設営個所に天幕本体１を組立し易いように屋根部４を四方に展開しておく（図５参照）。
【００２１】
次いで、天幕本体１の左右の軒先部Ｎ,Ｎの前後の延長線上Ｊ,Ｊにおいて、天幕本体１に対して数ｍ、例えば３ｍほど前後の位置に、前後２本づつ、合計４本の杭８,８；８,８を打撃具にて打ち込んでおく。この際、４本の杭８,８；８,８は、天幕本体１の屋根部４の棟７における延長線に対して平面略４５度の角度位置に打ち込まれることになる。
【００２２】
この杭８,８；８,８には、前記屋根部４の頂上における棟７の前後の外端部に一端５Ａ１が取付けられた複数本、例えば屋根部４に対して前後２本づつの棟張綱５Ａ,５Ａ；５Ａ,５Ａを伸ばし、該棟張綱５Ａ,５Ａ；５Ａ,５Ａの他端５Ａ２を前記杭８,８；８,８に掛けておく。
【００２３】
また、複数本、本実施形態１では３本の長さが長い軒引綱５Ｂ,５Ｂ,５Ｂを所望間隔Ｌ１をあけて前記屋根部４を跨いで屋根部４の長手方向Ｉに交差して伸長し、配索しておくとともに前後端には軒引綱５Ｂ,５Ｂを前記間隔Ｌ１よりも下方部をあけて短い長さの２本の軒引綱５Ｂ,５Ｂを配索しておく。この際、長い長さの３本の軒引綱５Ｂ,５Ｂ,５Ｂが屋根部４の傾斜最低部４ａと前記側壁部６Ａ,６Ｂの上端部とが交わる２つの軒先部Ｎ,Ｎに位置するが、好ましくはこの中間部の２個所は軒先部Ｎ,Ｎに設けた図には示さない環状金具に挿通して捲回する等して軒引綱５Ｂ,５Ｂ,５Ｂ；５Ｂ,５Ｂ,５Ｂの一端５Ｂ１が前記軒先部Ｎ,Ｎに取付けられるが、牽引方法はこれに限ることなく、図には示さないが例えば短い長さの片側５本づつ、合計１０本の軒引綱５Ｂ,５Ｂ,５Ｂ,５Ｂ,５Ｂ；５Ｂ,５Ｂ,５Ｂ,５Ｂ,５Ｂを用いることにより、これらの軒引綱５Ｂ,５Ｂ,５Ｂ,５Ｂ,５Ｂ；５Ｂ,５Ｂ,５Ｂ,５Ｂ,５Ｂの少なくとも一端５Ｂ１が前記軒先部Ｎ,Ｎに取付けられ、他端５Ｂ２は地面２に打ち込まれた杭８′に取付られることにより長手方向Ｉに対設され、左右の前記側壁部６Ａ,６Ｂに外方向（長手方向Ｉに交差する方向）に張力を与えるようにすることもできる。また、棟張綱５Ａ,５Ａ；５Ａ,５Ａ、および軒引綱５Ｂ,５Ｂ,５Ｂ,５Ｂ,５Ｂ；５Ｂ,５Ｂ,５Ｂ,５Ｂ,５Ｂの張力を加減するのに、図には示さないが、ターンバックルを用いることにより張力を調整するようにしてもよい。
【００２４】
その後、前記上部支柱部３Ａの下端内に設けた雌状孔１３内に挿脱可能に挿入され前記下部支柱部３Ｂの上端に設けた先細りの雄状挿入部１４を挿入し、外部から止めねじ１５の先端部１５ａを雄状挿入部１４に当接することにより、上部支柱部３Ａと、下部支柱部３Ｂとが接続された２本の支柱３を用意しておく（図６参照）。
【００２５】
それから、天幕本体１の前後の下方部から２本の支柱３,３の先端部を差し込み、支柱３の上端部に設けられたピン体１１を屋根部４の棟７の外端部に設けた金環１２,１２内に突出することにより、天幕本体１を持ち上げるようにして２本の支柱３,３を間隔Ｌを開けて略垂直に立設して建て込む。
【００２６】
そして、天幕本体１の屋根部４に対して前後２本づつ、合計４本の棟張綱５Ａ,５Ａ；５Ａ,５Ａを左右２本づつ平均に緊張させ、４本の該棟張綱５Ａ,５Ａ；５Ａ,５Ａの他端５Ａ２を前記杭８,８；８,８に強固に固定すれば、２本の支柱３,３を間隔Ｌを開けて略垂直に強固に立設することができるとともに、２本の支柱３,３間において屋根部４の頂上部における棟７に張りをもたせることができる。
【００２７】
この際、２本の支柱３,３間において屋根部４の頂上部における棟７に張りをもたせるための合計４本の棟張綱５Ａ,５Ａ；５Ａ,５Ａのうち、左右２本づつの棟張綱５Ａ,５Ａは、棟７の外端部を頂点とし、棟７の外端部の前後方向の延長線Ｊ,Ｊを二等分線とする平面二等分三角形の２つの斜辺部方向に均等に張力が働くように緊張すれば、切妻屋根形の屋根部４は平面対角線方向へと四方に合計４本の棟張綱５Ａ,５Ａ；５Ａ,５Ａにより平均して緊張されるため、強風や暴風雨に対してめくれ上がって吹き飛ばされたり、倒壊することがなく、充分な強度の構造堅牢な屋根部４を設営することができる。
【００２８】
しかも、軒引綱５Ｂ,５Ｂ,５Ｂ,５Ｂ,５Ｂ；５Ｂ,５Ｂ,５Ｂ,５Ｂ,５Ｂの他端側を平均に緊張させ、これらの軒引綱５Ｂ,５Ｂ,５Ｂ,５Ｂ,５Ｂ；５Ｂ,５Ｂ,５Ｂ,５Ｂ,５Ｂの他端５Ｂ２を地面２に打ち込まれた片側５本づつ、合計１０本の杭８′に強固に固定すれば切妻屋根形の屋根部４を天幕本体１の長手方向Ｉに略交差する外方向へ全体的に張力を与えて弛みを生ずるのを防止できるとともに、左右の前記側壁部６Ａ,６Ｂに外方向に張力を与えることができる。このようにして、切妻屋根形に形成される屋根部４と、および該屋根部４の下方の周囲を囲む側壁部６Ａ,６Ｂ；６Ｃ,６Ｄとにより形成される天幕の設営を簡単な取り扱い作業により構造堅牢に営むことができる。
【００２９】
このように、組上がった本実施形態１の屋根形天幕は、切妻屋根形に形成される屋根部４と、および該屋根部４の下方の周囲を囲む側壁部６Ａ,６Ｂ；６Ｃ,６Ｄとにより形成され、不必要な隙間を生じないので、日照や雨雪を充分に防ぐことができる。また、冬季においては、寒風がテント内に侵入し難く、充分な暖を採るのに適している。また、天幕内の収容人数は比較的多数人を収容できるとともに大容量に物品を収容したり、保管ができる。
【００３０】
また、本実施形態１の天幕は、前述のように、切妻屋根形に形成される屋根部４は、棟７の外端部を２本の支柱３,３にて支持され、しかも、屋根部４の頂上における棟７の外端部に一端５Ａ１が取付けられて他端５Ａ２は杭８が地面２に打ち込まれることにより前記屋根部４の棟７に複数本、前後２本づつ、合計４本の棟張綱５Ａ,５Ａ；５Ａ,５Ａにより外方向に張力を与えるのと、前記屋根部４の傾斜最低部４ａと前記側壁部６Ａ,６Ｂの上端部とが交わる軒先部Ｎ,Ｎに少なくとも一端５Ｂ１が取付けられ、他端５Ｂ２は複数本、片側５本づつ、合計１０本の杭８′が地面２に打ち込まれることにより長手方向Ｉに対設された軒引綱５Ｂとで、左右の前記側壁部６Ａ,６Ｂに長手方向Ｉに交差する外方向に張力を与えるので、如何なる方向からの強風に対しても倒壊を予防して強度が向上され、構造堅牢な仕上がりになる。
【００３１】
また、設営された屋根形天幕の組立を解いて分解するのには、前述の天幕の組立操作と逆の手順、操作により分解を行えばよい。すなわち、杭８′に対する複数本の軒引綱５Ｂ,５Ｂ,５Ｂ,５Ｂ,５Ｂ；５Ｂ,５Ｂ,５Ｂ,５Ｂ,５Ｂの固定を解いて張力を緩めるとともに、杭８に対して複数本、例えば前後２本づつ合計４本の棟張綱５Ａ,５Ａ；５Ａ,５Ａの固定を解いて張力を緩め、前後２本の支柱３,３を天幕本体１の棟７における前後の外端部から撤去して屋根部４に対する支持を解く。その後、天幕本体ｌを折り畳み、２本の支柱２,２を、上部支柱部３Ａと、下部支柱部３Ｂとに接続手段１０の止めねじ１５を緩めることにより分離する。こうして、天幕の分離操作を簡単な取り扱い操作により終える。
【００３２】
前述のように、接続した使用時における２本の支柱２,２を、上部支柱部３Ａと、下部支柱部３Ｂとを接続手段１０を介して分離して短くすることができるので、運搬をしたり、倉庫に保管するのに便利になる。
【００３３】
上記実施形態１では、屋根形天幕の屋根部４を切妻屋根形状に形成した場合を図示しているが、屋根形状は図には示すものに特定するものに限らず、本発明の趣旨を逸脱しない限り例えば寄せ棟屋根形状の場合にも本発明は適用することができる。
【産業上の利用可能性】
【００３４】
本発明は、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人を収容でき、しかも、大容量の物品を収容でき、さらには、構造が簡単で部品数が少なく、組立操作および分解操作が容易かつ迅速に行えるとともに、運搬および保管が容易になるという用途・機能に適する。
【図面の簡単な説明】
【００３５】
【図１】図１は本発明の屋根形天幕の実施形態１を示し、設営した状態の斜視図である。
【図２】図２は本実施形態１の屋根形天幕を設営するのに使用する支柱を示す側面図である。
【図３】図３は同じく本実施形態１の屋根形天幕を設営するのに使用する支柱を構成する上部支柱を示す拡大一部断面図である。
【図４】図４は同じく本実施形態１の屋根形天幕を設営するのに使用する支柱を構成する下部支柱を示す拡大一部断面図である。
【図５】図５は本実施形態１の屋根形天幕を設営するのに際し、天幕、および引綱を展開し、杭を打ち込んだ状態の斜視図である。
【図６】図６は同じく屋根部を支持するための２本の支柱を配置した状態の斜視図である。
【図７】図７は同じく屋根部の下面に支柱を差し入れる状態の斜視図である。
【符号の説明】
【００３６】
１      天幕本体
２      地面
３      支柱
４      屋根部
５      引綱
５Ａ    棟引綱
５Ｂ    軒引綱
６Ａ    側壁部
６Ｂ    側壁部
６Ｃ    側壁部
６Ｄ    側壁部
７      棟
８      杭
８′    杭
１０    接続手段
１５    止めねじ
Ｉ      長手方向
Ｎ      軒先部
【図１】
2008095358.tif 000003
【図２】
2008095358.tif 000004
【図３】
2008095358.tif 000005
【図４】
2008095358.tif 000006
【図５】
2008095358.tif 000007
【図６】
2008095358.tif 000008
【図７】
2008095358.tif 000009